(57)【要約】【課題】十分な水密性を有し、かつ、適度な通気性を備え、環境負荷を最小限にした梱包材を提供する。【解決手段】少なくとも２枚が互いに対向するように平行に配置されて一体化され、多重の壁体１８を形成している生分解性プラスチックシート１２と、対向する２枚の生分解性プラスチックシート１２の間に配置され、当該２枚の生分解性プラスチックシート１２を所定の閉空間２０を形成しつつ結合して一体化しているスペーサ１４と、多重の壁体１８を容器状に成型したとき、容器の外側の生分解性プラスチックシート１２ａとスペーサ１４を挟んで対向する内側の生分解性プラスチックシート１２ｂにより形成された閉空間２０に外気を流通させるためのピンホールまたはスリットであって、内側の生分解性プラスチックシート１２ｂに形成されている通気孔１６とを備える。【選択図】図１
2008001400.tif 000002
【特許請求の範囲】
【請求項１】
壁体を形成するように、少なくとも２枚が互いに対向するように平行に配置された生分解性プラスチックシートと、
前記対向する複数の生分解性プラスチックシートの間に配置され、当該複数の生分解性プラスチックシートの間に所定の閉空間を形成しつつ両者を結合して一体化しているスペーサと、
前記壁体を容器状に成型したとき、容器の外側の生分解性プラスチックシートと前記スペーサを挟んで対向する内側の生分解性プラスチックシートとにより形成された閉空間に対して外気を流通させるためのものであって、前記内側の生分解性プラスチックシートに形成されている通気孔とを備えたことを特徴とする梱包箱。
【請求項２】
請求項１に記載の梱包箱において、
前記閉空間が互いに平行な所定の幅と長さの多数の筒状に形成されているとき、
前記ピンホールまたはスリットは、前記スペーサの長さ方向に対して垂直方向に分散配置されていることを特徴とする梱包箱。
【請求項３】
請求項１に記載の梱包箱において、
容器状に成型された前記壁体の隅の部分に設けられた折り目に沿って、前記ピンホールまたはスリットを形成したことを特徴とする梱包箱。
【請求項４】
請求項１に記載の梱包箱において、
前記スペーサも生分解性プラスチックからなり、容器状に成型された前記壁体の端縁部分が容器外に露出しているとき、この端縁部分に近い前記筒状の閉空間に、前記通気孔を形成したことを特徴とする梱包箱。
【請求項５】
少なくとも２枚が互いに対向するように平行に配置されて一体化され、壁体を形成している生分解性プラスチックシートと、対向する前記生分解性プラスチックシートの間に配置され、当該複数の生分解性プラスチックシートの間に所定の空間を形成しつつ両者を結合して一体化しているスペーサとからなる前記壁体に対して、
前記壁体を容器状に成型したとき、容器の外側の生分解性プラスチックシートと前記スペーサを挟んで対向する内側の生分解性プラスチックシートにより形成された閉空間に外気を流通させるためのピンホールまたはスリットからなる通気孔を形成することを特徴とする梱包方法。
【請求項６】
少なくとも２枚が互いに対向するように平行に配置されて一体化され、壁体を形成している生分解性プラスチックシートと、対向する複数の生分解性プラスチックシートの間に配置され、当該複数の生分解性プラスチックシートの間に所定の空間を形成しつつ両者を結合して一体化しているスペーサとからなる前記壁体に対して、
前記壁体を容器状に成型したとき、容器の外側の生分解性プラスチックシートと前記スペーサを挟んで対向する内側の生分解性プラスチックシートにより形成された閉空間に外気を流通させるためのピンホールまたはスリットを形成する刃であって、その刃の突き出し寸法が前記複数の生分解性プラスチックシートの間隔以下になるような台座を備えた特徴とする梱包材加工装置。
【発明の詳細な説明】
【技術分野】
【０００１】
本発明は通気性を必要とするものの梱包に利用される梱包箱と梱包方法と梱包材加工装置に関する。
【背景技術】
【０００２】
電子部品や各種製品の梱包にはダンボール箱が多用される。また、環境保護のために生分解性プラスチックによるプラスチックダンボール箱も利用されている（特許文献１参照）。
【特許文献１】特開２００４−１８９２８０号公報
【発明の開示】
【発明が解決しようとする課題】
【０００３】
食品の梱包には、外部からの雑菌の侵入等を防ぐために水密性が要求される。一方、呼吸をしている生鮮食品の梱包には適度な通気性が要求される。従って、気密性の高いプラスチックダンボール箱による梱包が適さないこともある。本発明はこうした課題を解決する。即ち、本発明は、十分な水密性を有し、かつ、適度な通気性を備え、環境負荷を最小限にした、梱包箱と梱包方法と梱包材加工装置を提供することを目的とする。
【課題を解決するための手段】
【０００４】
以下の構成は上記の課題を解決するための手段である。
〈構成１〉  壁体を形成するように、少なくとも２枚が互いに対向するように平行に配置された生分解性プラスチックシートと、上記対向する複数の生分解性プラスチックシートの間に配置され、当該複数の生分解性プラスチックシートの間に所定の閉空間を形成しつつ両者を結合して一体化しているスペーサと、上記壁体を容器状に成型したとき、容器の外側の生分解性プラスチックシートと上記スペーサを挟んで対向する内側の生分解性プラスチックシートとにより形成された閉空間に対して外気を流通させるためのものであって、上記内側の生分解性プラスチックシートに形成されている通気孔とを備えたことを特徴とする梱包箱。
【０００５】
生分解性プラスチックシートは防水性がある。また、生分解性プラスチックは若干の通気性を持つ。容器の内側の生分解性プラスチックシートに通気孔を設けて、生分解性プラスチックシートを用いた容器に水密性と適度な通気性を与えることができた。
【０００６】
〈構成２〉  構成１に記載の梱包箱において、上記閉空間が互いに平行な所定の幅と長さの多数の筒状に形成されているとき、上記ピンホールまたはスリットは、上記スペーサの長さ方向に対して垂直方向に分散配置されていることを特徴とする梱包箱。
【０００７】
プラスチックダンボールは、スペーサの縦板体の長さ方向に折り目が生じ易い。ピンホールまたはスリットを筒状の閉空間に対して垂直方向に分散配置し、強度を低下させることなく、通気性を高めることができる。
【０００８】
〈構成３〉  構成１に記載の梱包箱において、容器状に成型された上記壁体の隅の部分に設けられた折り目に沿って、上記ピンホールまたはスリットを形成したことを特徴とする梱包箱。
【０００９】
プラスチックダンボールを折り曲げて容器状に成型するとき、その折り目に沿ってピンホールまたはスリットを予め形成しておくと、折り曲げ加工が容易になる。しかも、同時に通気孔も形成できる。また、折り目の部分ならば機械的強度を低下させることがない。
【００１０】
〈構成４〉  構成１に記載の梱包箱において、上記スペーサも生分解性プラスチックからなり、容器状に成型された上記壁体の端縁部分が容器外に露出しているとき、この端縁部分に近い上記筒状の閉空間に、上記通気孔を形成したことを特徴とする梱包箱。
【００１１】
ダンボールの切断面に相当する部分に近い筒状の閉空間にピンホールまたはスリットを形成することにより、容器の水密性を保持しつつ通気性を高めることができる。
【００１２】
〈構成５〉  少なくとも２枚が互いに対向するように平行に配置されて一体化され、壁体を形成している生分解性プラスチックシートと、対向する上記生分解性プラスチックシートの間に配置され、当該複数の生分解性プラスチックシートの間に所定の空間を形成しつつ両者を結合して一体化しているスペーサとからなる上記壁体に対して、上記壁体を容器状に成型したとき、容器の外側の生分解性プラスチックシートと上記スペーサを挟んで対向する内側の生分解性プラスチックシートにより形成された閉空間に外気を流通させるためのピンホールまたはスリットからなる通気孔を形成することを特徴とする梱包方法。
【００１３】
予めプラスチックダンボールに通気性能を計算した上でピンホールまたはスリットを形成しておくことが好ましい。しかし、梱包作業中に適宜通気孔を形成することもできる。
【００１４】
〈構成６〉  少なくとも２枚が互いに対向するように平行に配置されて一体化され、壁体を形成している生分解性プラスチックシートと、対向する複数の生分解性プラスチックシートの間に配置され、当該複数の生分解性プラスチックシートの間に所定の空間を形成しつつ両者を結合して一体化しているスペーサとからなる上記壁体に対して、上記壁体を容器状に成型したとき、容器の外側の生分解性プラスチックシートと上記スペーサを挟んで対向する内側の生分解性プラスチックシートにより形成された閉空間に外気を流通させるためのピンホールまたはスリットを形成する刃であって、その刃の突き出し寸法が上記複数の生分解性プラスチックシートの間隔以下になるような台座を備えた特徴とする梱包材加工装置。
【００１５】
刃の突き出し寸法が２枚の生分解性プラスチックシートの間隔以下であれば、プラスチックダンボールに刃を押しつけて、内側のシートだけにスリットを開けることができる。
【発明を実施するための最良の形態】
【００１６】
本発明では環境負荷を最小限にするために、梱包箱の材料に生分解性プラスチックシートを使用する。また、生分解性プラスチックシートの防水性と通気性を利用する。特に、一定以上の通気性を確保するために、防水性に影響を与えない範囲で、生分解性プラスチックシートに孔あるいはスリットを設ける。また、このような孔あるいはスリットを形成するための装置について言及する。以下、本発明の実施の形態を実施例毎に詳細に説明する。
【実施例１】
【００１７】
図１は実施例１の梱包箱を示す説明図である。
図１（ａ）は梱包箱に使用するプラスチックダンボールの分解斜視図である。生分解性プラスチックシート１２ａ、１２ｂは、スペーサ１４を介して互いに対向するように平行に配置されて一体化され、梱包箱の壁体１８を形成する。スペーサ１４は、多数の縦板体１４ａと横板体１４ｂとを組み合わせたものである。多数の縦板体１４ａは任意の間隔でほぼ平行に並べられている。多数の横板体１４ｂは、多数の縦板体１４ａの間を１つ置きに横断するとともに、縦板体１４ａの長さ方向に任意の間隔にほぼ平行に並べられている。スペーサ１４は、２枚の生分解性プラスチックシート１２ａ、１２ｂに結合して一体化している。その結果、２枚の生分解性プラスチックシート１２ａ、１２ｂとスペーサ１４により、所定の多数の閉空間２０が形成されている。なお、壁体の端縁１９の部分では閉空間が解放されている。梱包箱に使用する壁の構成はこの他に各種のものが考えられるが、ここでは最も普及している構成のプラスチックダンボールを例にして説明する。
【００１８】
図１（ｂ）は梱包箱の横断面図である。この図のように、梱包箱１０は壁体１８を容器状に成型したものである。壁体１８を容器状に成型したとき、容器の外側の生分解性プラスチックシート１２ａとスペーサ１４を挟んで対向する内側の生分解性プラスチックシート１２ｂがある。この内側の生分解性プラスチックシート１２ｂに、多数の通気孔１６が設けられている。通気孔１６は、閉空間２０に外気を流通させるためのピンホールまたはスリットである。この通気孔１６の位置も数もサイズも任意である。梱包されるものの性質に応じて自由に設定するとよい。
【００１９】
生分解性プラスチックシート１２には防水性がある。環境に優しい素材であるからこれを梱包箱１０に使用する。梱包箱１０に使用するためには軽量で強度の高い壁体構造が要求される。一般には、ダンボールの構造が最も適する。図の例では、生分解性プラスチックシート１２を、少なくとも２枚が互いに対向するように平行に配置して、これらをスペーサ１４で結合して一体化する。こうして得られた壁体１８を容器状に成型して梱包に使用する。対向する２枚の生分解性プラスチックシート１２とスペーサ１４により、所定の多数の閉空間２０が形成されている。この閉空間２０は、壁体１８の強度を保持してクッション効果を与えることを主目的としている。この閉空間２０は密閉されているから外部から水が浸入しない。即ち、容器の外部からの水の浸入が阻止される。
【００２０】
一方、生分解性プラスチックは若干の通気性を有する。しかし、複数枚の生分解性プラスチックシート１２を並べて壁体１８を形成し、その壁体１８を成型して容器にすると、通気性が不十分で、生鮮野菜等の梱包には適さない。そこで、この発明では容器の内側の生分解性プラスチックシート１２ｂに通気孔１６を設けた。外側と内側の両方の生分解性プラスチックシート１２に通気孔を開けると水が浸入するおそれがある。従って、内側の生分解性プラスチックシート１２ｂにのみ通気孔１６を開ける。通気孔１６は閉空間２０と梱包箱の内部の空気の流通に寄与する。ダンボールの切断面は閉空間２０が解放されているから、ここには通気孔を形成しない。ダンボールの切断面から通気孔１６を通じて水が浸入するおそれがあるからである。以上の構成により、生分解性プラスチックシート１２を用いた容器に水密性と適度な通気性を与えた梱包箱１０が得られる。
【実施例２】
【００２１】
図２は実施例２の梱包箱１０を示す説明図である。図１に示した部分と共通する部分には同一符号を付して重複説明を省略する。
図２（ａ）は実施例２の梱包箱１０を示す斜視図である。梱包箱１０の形状もサイズも任意である。この容器の壁体１８の部分に既に説明した通気孔１６を設ける。図２（ｂ）は壁体１８の一部の拡大断面図である。外側の生分解性プラスチックシート１２ａは水分の侵入を阻止する水密性を有する。しかし、空気２２の流通を許容する。また、内側の生分解性プラスチックシート１２ｂには、通気孔１６が設けられている。内側の生分解性プラスチックシート１２ｂは梱包箱１０の内部の被梱包物に面している。従って、梱包箱１０の内部には通気孔１６の数や面積に応じて若干の通気が流通する。
【００２２】
図２（ｃ）は梱包箱の壁体１８の部分を示す斜視図である。プラスチックダンボールは、上記の例のように、互いに平行な一定の幅の筒状の閉空間２０を集合した状態に形成されている。このとき、スペーサの縦板体１４ａの長さ方向（図の矢印Ａの方向）に折り目が生じ易い。縦板体１４ａの長さ方向に平行に一直線にピンホールやスリットを集中して形成すると、プラスチックダンボールの強度を低下させる。そこで、通気孔１６を、縦板体１４ａの長さ方向に対して垂直な方向に分散配置している。これにより、強度を低下させることなく、多数のピンホールまたはスリットを形成して、通気性を高めることができる。
【実施例３】
【００２３】
図３は実施例３の梱包箱の一部を示す説明図である。図１に示した部分と共通する部分には同一符号を付して重複説明を省略する。
図３（ａ）は、折り曲げ加工前のプラスチックダンボールを示す斜視図である。プラスチックダンボールを折り曲げて容器状に成型するときには、折り目の部分の筒状の閉空間部分を潰す前処理をする。図３（ｂ）は折り曲げ加工中のプラスチックダンボールを示す斜視図である。容器状に成型される壁体１８の隅の部分２６に折り目２８ができる。この折り目２８に沿って、図３（ａ）に示すように、ピンホールまたはスリットを予め形成しておく。これによって、折り曲げ加工が容易になる。さらに、ピンホールまたはスリットを形成しておくと、折り目２８に沿って正確に折り曲げができるだけでなく、通気孔１６も形成できる。折り曲げ加工した隅の部分２６は他の部分よりも機械的強度が強いから、ピンホールまたはスリットにより、容器の強度を損なうことがない。
【実施例４】
【００２４】
図４は実施例４の梱包箱の主要部横断面図である。図１に示した部分と共通する部分には同一符号を付して重複説明を省略する。
図４（ａ）は実施例４の梱包箱の主要部横断面図で、実施例３との比較のために図示した。この図のように、容器の隅の部分２６では、外側の生分解性プラスチックシート１２ａも内側の生分解性プラスチックシート１２ｂも直角に折れ曲がっている。また、内側の生分解性プラスチックシート１２ｂの折り目２８の部分には図のように、通気孔１６が形成されている。この部分の機械的強度が十分だから、通気孔１６を多数設けることができる。内側の生分解性プラスチックシート１２ａは水分の侵入を阻止する水密性を有するが、空気の流通を許容する。従って、矢印Ａと矢印Ｂの方向に高い通気性を確保できる。実施例４では、これとは別に、壁体の端縁部分にも通気孔を設ける。
【００２５】
壁体１８の端縁部分３０というのは、ダンボールの切断面に相当する部分のことである。図４（ｂ）は容器状に成型された壁体の端縁部分の横断面図である。この例ではスペーサ１４も生分解性プラスチックであることが好ましい。容器状に成型された壁体１８の端縁部分３０が容器外に露出しているときにこの実施例が適する。端縁部分３０に近い筒状の閉空間２０に、通気孔１６を形成する。ダンボールの切断面では筒状の閉空間２０が解放されている。ここに隣接する筒状の閉空間２０が端縁部分３０に最も近い筒状の閉空間２０である。ここに既に説明した要領でピンホールまたはスリットを形成すると、壁体１８の端縁部分３０とスペーサ１４を通じて矢印Ｂの方向に通気を図ることができる。なお、端縁部分３０からあまり遠い筒状の閉空間２０は、中間に多くのスペーサ１４があるから通気性を高めることはできない。即ち、容器状に成型された壁体１８の端縁部分３０にできるだけ近い筒状の閉空間２０にピンホールまたはスリットを形成することにより、矢印Ａと矢印Ｂの方向に高い通気性を確保できる。
【実施例５】
【００２６】
図５は実施例５の梱包加工装置の説明図である。図１に示した部分と共通する部分には同一符号を付して重複説明を省略する。
実施例で説明したような梱包箱は、予め通気孔を形成したプラスチックダンボールを容器状に成型すれば得られる。しかし、既に容器状に成型してあるプラスチックダンボール製の梱包箱に、後から通気孔１６を形成するようにしても構わない。例えば、図５（ａ）のように、台座３２の上に三角形の刃３４を並べたものを使用する。この刃３４をプラスチックダンボールの一方の面に押しつけると、一挙に多数のスリットが形成される。この例では、スリットの方向は筒状の閉空間２０の長手方向に平行にした。図５（ｂ）に示すように、刃３４の突き出し寸法が２枚の生分解性プラスチックシート１２ａ、１２ｂの間隔Ｌ以下になるように、台座３２上に刃３４を植え付けるとよい。この台座３２をプラスチックダンボールの打ち抜き型と一体にすると、プラスチックダンボールを梱包箱１０の形状に打ち抜く工程で同時にピンホールやスリットを形成でき、生産性が向上する。
【図面の簡単な説明】
【００２７】
【図１】実施例１の梱包箱を示す説明図。
【図２】実施例２の梱包箱を示す説明図。
【図３】実施例３の梱包箱の一部を示す説明図。
【図４】実施例４の梱包箱の主要部横断面図。
【図５】実施例５の梱包加工装置の説明図。
【符号の説明】
【００２８】
１０  梱包箱、１２ａ、１２ｂ  生分解性プラスチックシート、１４  スペーサ、１６  通気孔、１８  壁体、２０  閉空間、２２  空気、２６  隅の部分、２８  折り目、３０  端縁部分、３２  台座、３４  刃
【図１】
2008001400.tif 000003
【図２】
2008001400.tif 000004
【図３】
2008001400.tif 000005
【図４】
2008001400.tif 000006
【図５】
2008001400.tif 000007